(57)【要約】【課題】  橋桁の回転方向への移動に追随できる耐久性に優れた橋梁用可動支承装置を提供する。【解決手段】サイドブロック５は、上部側ブロック５ａと下部側ブロック５ｂとで構成され、上部側ブロック５ａには、ピン穴１０が形成され、該ピン穴１０には下部側ブロック５ｂに設けられた図示しないピンが挿入され、該ピン穴１０の位置を回転軸として上部側ブロック５ａが下部側ブロック５ｂ上で回転できるように構成されている。これにより、上沓板７に回転方向の動きが生じた場合に、上部側ブロック５ａがピン穴１０の位置を回転軸として回転することにより、ゴム支承体３の上下方向を軸とする回転変形を伴いながら、上沓板７の両側面が上部側ブロック５ａの内側面上を滑動し、上沓板７と上部側ブロック５ａとの当接面Ｗにおける当接状態が維持され、当接面Ｗが噛み合い損傷することを防止する。【選択図】  図１
2005207020.tif 000002
【特許請求の範囲】
【請求項１】
橋桁を支承するゴム支承体の上部に固定された上沓板の両側面に当接して、橋桁の橋軸方向への移動を許容し、これと直角な方向への移動を制限するサイドブロックを備えた橋梁用可動支承装置において、
前記上沓板の両側面と、前記サイドブロックとの当接面が、橋梁の回転方向への移動に追随し、当接状態が維持されるように構成したことを特徴とする橋梁用可動支承装置。
【請求項２】
前記上沓板の両側面と、前記サイドブロックとの当接面が、それぞれ橋軸方向に平行な平面からなり、前記サイドブロックが回転可能に下部構造物に装着される請求項１に記載の橋梁用可動支承装置。
【請求項３】
前記上沓板の側面又はこれと当接する前記サイドブロックの当接面の少なくとも一方が橋軸と直角な方向へ突出する曲面からなり、前記サイドブロックが下部構造物に装着される請求項１に記載の橋梁用可動支承装置。
【発明の詳細な説明】
【技術分野】
【０００１】
この発明は、橋梁用可動支承装置に関し、さらに詳しくは、橋桁の橋軸方向への移動を許容し、これと直角な方向への移動を制限するサイドブロックを備えた橋梁用可動支承装置の改良に関するものである。
【背景技術】
【０００２】
橋梁の橋桁は、温度や湿度の変化等によって、桁方向（橋軸方向）に伸縮を受ける。したがって、橋桁の建設にあっては、橋軸方向の橋桁の移動を許容し、これと直角な方向への移動を制限する機構を有する橋梁用可動支承装置がこれまで広く使用されてきた。
【０００３】
これによれば、橋梁の下部構造物上に固定されたゴム支承体の上部に固定された上沓板の橋軸と直角な方向の両側面を、下部構造物上に固定されたサイドブロックに当接させ、これにより橋桁の橋軸方向への移動を許容し、これと直角な方向への移動を制限するものであった（例えば、特許文献１参照）。
【０００４】
然しながら、かかる機構を有する橋梁用可動支承装置では、橋桁が長手方向に直線状に延びる直橋の場合には、橋桁の橋軸方向への移動を上沓板の両側面がサイドブロックの内側面上を滑動しながら吸収することができるものの、橋桁が長手方向に曲線状に延びるいわゆる曲線橋の場合には、橋桁の橋軸方向への移動に際して、上沓板に回転方向の力が作用するため、上沓板の両側面とサイドブロックとの当接面が互いに噛み合い、橋桁の橋軸方向への移動が円滑に行われず、該当接面が損傷する等の問題があった。
【特許文献１】特開平１１−１３１４２５号公報
【発明の開示】
【発明が解決しようとする課題】
【０００５】
この発明はかかる従来の問題点に着目し、橋桁の下部に固定された上沓板とサイドブロックとの当接面が回転方向への移動に追随できる、耐久性に優れた橋梁用可動支承装置を提供することを目的とするものである。
【課題を解決するための手段】
【０００６】
この発明は上記目的を達成するため、橋桁を支承するゴム支承体の上部に固定された上沓板の両側面に当接して、橋桁の橋軸方向への移動を許容し、これと直角な方向への移動を制限するサイドブロックを備えた橋梁用可動支承装置において、前記上沓板の両側面と、前記サイドブロックとの当接面が、橋梁の回転方向への移動に追随し、当接状態が維持される橋梁用可動支承装置を要旨とするものである。
【０００７】
これにより、橋桁の下部に固定された上沓板の回転方向への移動に、サイドブロックの当接面が追随し、該当接面が上沓板の両側面と噛み合うことなく、当接状態が維持されるものである。
【０００８】
ここで、前記上沓板の両側面と、前記サイドブロックとの当接面を、それぞれ橋軸方向に平行な平面に形成し、前記サイドブロックが回転可能となるように下部構造物に装着させることにより、前記当接面が互いに面接触をなしながら滑動して当接状態を維持するように構成することが好ましい。
【０００９】
また、前記上沓板の側面又はこれと当接する前記サイドブロックの当接面の少なくとも一方を橋軸と直角な方向へ突出する曲面に形成し、前記サイドブロックを下部構造物に装着させることにより、前記当接面が互いに線又は点接触をなしながら滑動して当接状態を維持するように構成することもできる。
【発明の効果】
【００１０】
この発明は、上記のように上沓板の両側面と、前記サイドブロックとの当接面が、橋梁の回転方向への移動に追随し、当接状態が維持されるように構成したので、橋桁の下部に固定された上沓板とサイドブロックとの当接面が橋梁の回転方向への移動に追随して、常に当接状態が維持されるため、当接面が噛み合うことがなく、優れた耐久性を示し、特に曲線橋の橋梁用可動支承装置として優れた効果を奏するものである。
【発明を実施するための最良の形態】
【００１１】
以下、添付図面に基づき、この発明の実施形態を説明する。
【００１２】
図１はこの発明の橋梁用可動支承装置の一実施態様を示す斜視図であって、１は図示しない橋脚や橋台等の下部構造物にアンカーボルト２により固定されたベースプレート、３はベースプレート２に下沓板４を介して固定されたゴム支承体、５はベースプレート１に固定されたサイドブロック、７はゴム支承体３の上部に固定された上沓板で、上沓板７はソールプレート８を介して図示しない橋桁等の上部構造物に取付けられた桁下フランジ９に固定されている。
【００１３】
図中の矢印Ｒは橋軸方向を示しており、橋軸方向Ｒに平行な平面に形成した上沓板７の両側面とサイドブロック５の内側面が当接面Ｗにより当接し、図示しない橋桁を支える桁下フランジ９の橋軸方向Ｒへの移動を許容し、これと直角な方向への移動を制限する。
【００１４】
サイドブロック５は、上部側ブロック５ａと下部側ブロック５ｂとで構成され、上部側ブロック５ａには、ピン穴１０が形成され、該ピン穴１０には下部側ブロック５ｂに設けられた図示しないピンが挿入され、該ピン穴１０の位置を回転軸として上部側ブロック５ａが下部側ブロック５ｂ上で回転できるように構成されている。
【００１５】
これにより、上沓板７に回転方向の動きが生じた場合に、上部側ブロック５ａがピン穴１０の位置を回転軸として回転することにより、ゴム支承体３の上下方向を軸とする回転変形を伴いながら、上沓板７の両側面が上部側ブロック５ａの内側面上を滑動し、上沓板７と上部側ブロック５ａとの当接面Ｗにおける当接状態が維持され、当接面Ｗが噛み合い損傷することを防止する。
【００１６】
図２〜４は、上沓板７と上部側ブロック５ａとの平面的な動きを説明するための説明図で、上沓板７と上部側ブロック５ａのみを取り出して示した平面図であり、図２は上記する図１の実施態様による上沓板７に矢印で示す回転方向の力が加わった際に、上部側ブロック５ａがピン穴１０の位置を回転軸として矢印方向に回転して、上沓板７と上部側ブロック５ａとの当接面Ｗが面接触をなしながら滑動して当接状態を維持する状況を示している。
【００１７】
図３は、この発明の他の実施形態を示し、上沓板７の両側面が橋軸方向Ｒと直角な水平方向に突出する曲面からなり、上部側ブロック５ａの内側面が橋軸方向Ｒに平行な平面からなる場合の上沓板７と上部側ブロック５ａとの平面的な状況を示すもので、上沓板７に矢印で示す回転方向の動きが生じた場合には、曲面に形成された上沓板７の当接面Ｗが、上部側ブロック５ａの内側面に沿って線接触をなしながら滑動して当接状態を維持する状況を示している。
【００１８】
ここで、上沓板７の両側面を橋軸方向Ｒと直角な水平及び鉛直方向に突出する曲面（球状面）に形成した場合には、上沓板７の当接面Ｗが上部側ブロック５ａの内側面に沿って点接触をなしながら滑動して当接状態を維持することになるので好ましい。
【００１９】
図４は、更にこの発明の他の実施形態を示し、上沓板７の両側面が橋軸方向Ｒに平行な平面からなり、上部側ブロック５ａの内側面が橋軸方向Ｒと直角な水平方向に突出する曲面からなる場合の上沓板７と上部側ブロック５ａとの平面的な状況を示すもので、上沓板７に矢印で示す回転方向の動きが生じた場合には、上沓板７の当接面Ｗが、曲面に形成された上部側ブロック５ａの内側面に沿って線接触をなしながら滑動して当接状態を維持する状況を示している。
【００２０】
ここで、上記図３の場合と同様に、上部側ブロック５ａの内側面を橋軸方向Ｒと直角な水平及び鉛直方向に突出する曲面（球状面）に形成した場合には、上沓板７の当接面Ｗが上部側ブロック５ａの内側面に沿って点接触をなしながら滑動して当接状態を維持することになるので好ましい。
【００２１】
なお、上記図３及び図４では、上沓板７又は上部側ブロック５ａの当接面Ｗをそれぞれ曲面に形成した場合を例示したが、曲面に形成する部位は特に限定されるものではなく、当接面Ｗの少なくとも一方が曲面に形成されていれば、この発明の作用効果が達成されることになる。
【図面の簡単な説明】
【００２２】
【図１】この発明の橋梁用可動支承装置の一実施態様を示す斜視図である。
【図２】図１の橋梁用可動支承装置における上沓板と上部側ブロックとの平面的な動きを説明するための説明図である。
【図３】この発明の橋梁用可動支承装置の他の実施態様における上沓板と上部側ブロックとの平面的な動きを説明するための説明図である。
【図４】この発明の橋梁用可動支承装置の他の実施態様における上沓板と上部側ブロックとの平面的な動きを説明するための説明図である。
【符号の説明】
【００２３】
１  ベースプレート                ２  アンカーボルト
３  ゴム支承体                    ４  下沓板
５  サイドブロック                                                            ５ａ  上部側ブロック              ５ｂ  下部側ブロック
７  上沓板                        ８  ソールプレート
９  桁下フランジ                １０  ピン穴
Ｒ  橋軸方向                      Ｗ  当接面
【図１】
2005207020.tif 000003
【図２】
2005207020.tif 000004
【図３】
2005207020.tif 000005
【図４】
2005207020.tif 000006